(57)【特許請求の範囲】
【請求項１】
無線通信システムにおいて端末が実行する方法において、
測定ギャップを必要とする、複数のサービングセルの中の第１サービングセルに関する情報と、他のギャップを必要とする、前記複数のサービングセルの中の第２サービングセルに関する情報とを送信するステップと、
前記第１サービングセルに対する前記測定ギャップの構成と、前記第２サービングセルに対する前記他のギャップの構成とを受信するステップと、
前記第１サービングセルに対する前記測定ギャップ及び前記第２サービングセルに対する前記他のギャップの間に、前記第１サービングセル及び前記第２サービングセルに対するインター周波数測定を実行するステップと、を含み、
前記第１サービングセルに対する前記測定ギャップは、前記第１サービングセルからのサービスが中断される期間を含み、
前記第２サービングセルに対する前記他のギャップは、前記第２サービングセルからのサービスが提供される期間を含む、方法。
【請求項２】
前記第１サービングセルに対する前記測定ギャップの間、いずれのデータも、前記第１サービングセルにおいて送信又は受信されない、請求項１に記載の方法。
【請求項３】
前記複数のサービングセルに対する測定ギャップは、互いに異なる、請求項１又は２に記載の方法。
【請求項４】
前記複数のサービングセルに対する測定ギャップは、互いに重なっている、請求項１〜３のいずれか一項に記載の方法。
【請求項５】
前記測定ギャップより短い短サービス中断期間を必要とする、前記複数のサービングセルの中のサービングセルに関する情報を送信するステップをさらに含む、請求項１〜４のいずれか一項に記載の方法。
【請求項６】
無線通信システムにおける端末であって、
メモリと、
送受信部と、
前記メモリ及び前記送受信部と動作可能に連結されるプロセッサであって、前記プロセッサは、
測定ギャップを必要とする、複数のサービングセルの中の第１サービングセルに関する情報と、他のギャップを必要とする、前記複数のサービングセルの中の第２サービングセルに関する情報とを送信するように前記送受信部を制御し、
前記第１サービングセルに対する測定ギャップの構成と、前記第２サービングセルに対する前記他のギャップの構成とを受信するように前記送受信部を制御し、
前記第１サービングセルに対する前記測定ギャップ及び前記第２サービングセルに対する前記他のギャップの間に、前記第１サービングセル及び前記第２サービングセルに対するインター周波数測定を実行する、ように構成される、プロセッサと、を備え、
前記第１サービングセルに対する前記測定ギャップは、前記第１サービングセルからのサービスが中断される期間を含み、
前記第２サービングセルに対する前記他のギャップは、前記第２サービングセルからのサービスが提供される期間を含む、端末。
【請求項７】
前記第１サービングセルに対する前記測定ギャップの間、いずれのデータも、前記第１サービングセルにおいて送信又は受信されない、請求項６に記載の端末。
【請求項８】
前記複数のサービングセルに対する測定ギャップは、互いに異なる、請求項６又は７に記載の端末。
【請求項９】
前記複数のサービングセルに対する測定ギャップは、互いに重なっている、請求項６〜８のいずれか一項に記載の端末。
【請求項１０】
前記プロセッサは、前記測定ギャップより短い短サービス中断期間を必要とする、前記複数のサービングセルの中のサービングセルに関する情報を送信するように前記送受信部を制御するようにさらに構成される、請求項６〜９のいずれか一項に記載の端末。
【発明の詳細な説明】
【技術分野】
【０００１】
本発明は、無線通信に関し、より詳細には、無線通信システムにおける測定ギャップを構成する方法及び装置に関する。
【背景技術】
【０００２】
３ＧＰＰ ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
３ＧＰＰ  ＬＴＥは、キャリアアグリゲーション（ＣＡ；ｃａｒｒｉｅｒ  ａｇｇｒｅｇａｔｉｏｎ、搬送波集成）を構成できる。ＣＡにおいて、１００ＭＨｚまでの広い送信帯域幅をサポートするために、２つまたはそれ以上のコンポーネントキャリア（ＣＣ；ｃｏｍｐｏｎｅｎｔ  ｃａｒｒｉｅｒ、構成搬送波）を集合させる。端末（ＵＥ；ｕｓｅｒ  ｅｑｕｉｐｍｅｎｔ）は、能力によって１つまたは複数のＣＣ上に同時に送信または受信されることができる。ＣＡにおいて、１つのＰＣｅｌｌ（ｐｒｉｍａｒｙ  ｃｅｌｌ）及び少なくとも１つのＳＣｅｌｌ（ｓｅｃｏｎｄａｒｙ  ｃｅｌｌ）が構成され得る。
【０００４】
低電力ノードは、モバイルトラフィック急増に対処するのに有望なものと考慮される（特に、室内及び室外のホットスポット構築）。低電力ノードは、一般に送信電力がマクロノード及び基地局のような種類の電力より少ないことを意味する。例えば、ピコｅＮＢ（ｅｖｏｌｖｅｄ  ＮｏｄｅＢ）及びフェムトｅＮＢがこれに該当する。Ｅ−ＵＴＲＡ（ｅｖｏｌｖｅｄ  ＵＭＴＳ  ｔｅｒｒｅｓｔｒｉａｌ  ｒａｄｉｏ  ａｃｃｅｓｓ）及びＥ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）のスモールセル強化（ｅｎｈａｎｃｅｍｅｎｔ）は、室内及び室外のホットスポット区域で低電力ノードを用いて性能を向上させる追加的な機能性に焦点を置くであろう。
【０００５】
スモールセル強化のための潜在的な解決策の１つとし、二重接続（ｄｕａｌ  ｃｏｎｎｅｃｔｉｖｉｔｙ、二重連結）が議論されている。二重接続は、与えられた端末が非理想的なバックホール（ｂａｃｋｈａｕｌ）で接続された少なくとも２つの互いに異なるネットワーク地点から提供される無線資源を消費する動作を呼ぶのに使用される。さらに、端末のための二重接続に関与する各ｅＮＢは、互いに異なる役割を仮定できる。その役割は、ｅＮＢの電力等級に依存する必要がなく、端末間に異なる場合がある。
【０００６】
ＣＡまたはＤＣが構成される場合、測定ギャップを効率的に構成するための方法が要求され得る。
【発明の概要】
【発明が解決しようとする課題】
【０００７】
本発明は、無線通信システムにおける測定ギャップを構成する方法及び装置を提供する。本発明は、二重接続（ＤＣ；ｄｕａｌ  ｃｏｎｎｅｃｔｉｖｉｔｙ）が構成される場合、測定ギャップを構成する方法を提供する。本発明は、ＦＤＤ（ｆｒｅｑｕｅｎｃｙ  ｄｉｖｉｓｉｏｎ  ｄｕｐｌｅｘ）−ＴＤＤ（ｔｉｍｅ  ｄｉｖｉｓｉｏｎ  ｄｕｐｌｅｘ）キャリアアグリゲーション（ＣＡ；ｃａｒｒｉｅｒ  ａｇｇｒｅｇａｔｉｏｎ）が構成される場合、測定ギャップを構成する方法を提供する。
【課題を解決するための手段】
【０００８】
一態様において、無線通信システムにおける端末（ＵＥ；ｕｓｅｒ  ｅｑｕｉｐｍｅｎｔ）による測定ギャップの構成を受信する方法が提供される。前記方法は、二重接続でＭＣＧ（ｍａｓｔｅｒ  ｃｅｌｌ  ｇｒｏｕｐ）に属するＰＣｅｌｌ（ｐｒｉｍａｒｙ  ｃｅｌｌ）のタイミングに基づいて、二重接続でＳＣＧ（ｓｅｃｏｎｄａｒｙ  ｃｅｌｌ  ｇｒｏｕｐ）の測定ギャップの構成を受信し、及び前記受信されたＳＣＧの測定ギャップの構成に基づいてインター周波数またはインターＲＡＴ（ｒａｄｉｏ  ａｃｃｅｓｓ  ｔｅｃｈｎｏｌｏｇｙ）セルを測定することを含む。
【０００９】
他の態様において、無線通信システムにおけるネットワークによる測定ギャップを構成する方法が提供される。前記方法は、二重接続でＭＣＧ（ｍａｓｔｅｒ  ｃｅｌｌ  ｇｒｏｕｐ）に属するＰＣｅｌｌ（ｐｒｉｍａｒｙ  ｃｅｌｌ）のタイミングに基づいて、二重接続でＳＣＧ（ｓｅｃｏｎｄａｒｙ  ｃｅｌｌ  ｇｒｏｕｐ）の測定ギャップを構成し、及び前記構成されたＳＣＧの測定ギャップを端末（ＵＥ；ｕｓｅｒ  ｅｑｕｉｐｍｅｎｔ）に送信することを含む。
【発明の効果】
【００１０】
キャリアアグリゲーションまたは二重接続が構成される場合、測定ギャップが効率的に構成され得る。
【図面の簡単な説明】
【００１１】
【図１】無線通信システムを示す。
【図２】３ＧＰＰ  ＬＴＥの無線フレームの構造を示す。
【図３】１つのＤＬスロットに対する資源グリッド（ｒｅｓｏｕｒｃｅ  ｇｒｉｄ）を示す。
【図４】ＤＬサブフレームの構造を示す。
【図５】ＵＬサブフレームの構造を示す。
【図６】ＰＣｅｌｌとＳＣｅｌｌとの間で互いに異なるＴＤＤ  ＵＬ−ＤＬ構成の例を図示する。
【図７】本発明の実施形態に係る測定ギャップの例を図示する。
【図８】本発明の実施形態に係る測定ギャップの他の例を図示する。
【図９】非同期二重接続の例を図示する。
【図１０】本発明の実施形態に係る非同期二重接続に対する測定ギャップの例を図示する。
【図１１】本発明の実施形態に係る測定ギャップの構成を受信する方法の例を図示する。
【図１２】本発明の実施形態に係る測定ギャップを構成する方法の例を図示する。
【図１３】本発明の実施形態が実現される無線通信システムを示す。
【発明を実施するための形態】
【００１２】
以下において説明される技術、装置、及びシステムは、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような種々の無線通信システムに使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）として実現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術として実現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術として実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、下りリンク（ＤＬ；ｄｏｗｎｌｉｎｋ）でＯＦＤＭＡを採用し、上りリンク（ＵＬ；ｕｐｌｉｎｋ）でＳＣ−ＦＤＭＡを採用する。ＬＴＥ−Ａ（ａｄｖａｎｃｅｄ）は、３ＧＰＰ  ＬＴＥの進化である。説明を明確にするために、本明細書は、３ＧＰＰ  ＬＴＥ／ＬＴＥ−Ａに焦点を合わせる。しかし、本発明の技術的特徴がこれに制限されるものではない。
【００１３】
図１は、無線通信システムを示す。無線通信システム１０は、少なくとも１つのｅＮＢ（１１；ｅｖｏｌｖｅｄ  ＮｏｄｅＢ）を含む。各ｅＮＢ（１１）は、特定の地理的領域（一般に、セルという）１５ａ、１５ｂ、１５ｃに対して通信サービスを提供する。各セルは、さらに複数の領域（セクタという）に分けられることができる。端末（ＵＥ；ｕｓｅｒ  ｅｑｕｉｐｍｅｎｔ）１２は、固定されるか、移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。ｅＮＢ（１１）は一般に、ＵＥ（１２）と通信する固定された局をいい、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることができる。
【００１４】
ＵＥは、通常１つのセルに属するが、ＵＥが属したセルをサービングセル（ｓｅｒｖｉｎｇ  ｃｅｌｌ）という。サービングセルに対して通信サービスを提供するｅＮＢをサービングｅＮＢという。無線通信システムは、セルラーシステムであるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するｅＮＢを隣接ｅＮＢという。サービングセル及び隣接セルは、ＵＥを基準として相対的に決定される。
【００１５】
この技術は、ＤＬまたはＵＬに使用されることができる。一般に、ＤＬは、ｅＮＢ（１１）からＵＥ（１２）への通信を意味し、ＵＬは、ＵＥ（１２）からｅＮＢ（１１）への通信を意味する。ＤＬにおいて送信機は、ｅＮＢ（１１）の一部であり、受信機は、ＵＥ（１２）の一部でありうる。ＵＬにおいて送信機は、ＵＥ（１２）の一部であり、受信機は、ｅＮＢ（１１）の一部でありうる。
【００１６】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか１つでありうる。ＭＩＭＯシステムは、複数の送信アンテナと複数の受信アンテナを使用する。ＭＩＳＯシステムは、複数の送信アンテナと１つの受信アンテナを使用する。ＳＩＳＯシステムは、１つの送信アンテナと１つの受信アンテナを使用する。ＳＩＭＯシステムは、１つの送信アンテナと複数の受信アンテナを使用する。以下において、送信アンテナは、１つの信号またはストリームを送信するのに使用される物理的または論理的アンテナを意味し、受信アンテナは、１つの信号またはストリームを受信するのに使用される物理的または論理的アンテナを意味する。
【００１７】
図２は、３ＧＰＰ  ＬＴＥの無線フレームの構造を示す。図２に示すように、無線フレームは、１０個のサブフレームを含む。サブフレームは、時間領域で２個のスロットを含む。１つのサブフレームを送信するのにかかる時間は、ＴＴＩ（ｔｒａｎｓｍｉｓｓｉｏｎ  ｔｉｍｅ  ｉｎｔｅｒｖａｌ）として定義される。例えば、１つのサブフレームの長さは１ｍｓでありうるし、１つのスロットの長さは０．５ｍｓでありうる。１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥがＤＬでＯＦＤＭＡを使用するので、ＯＦＤＭシンボルは、１つのシンボル区間を表現するためのものである。ＯＦＤＭシンボルは、多重アクセス方式によって他の名称で呼ばれることができる。例えば、ＵＬ多重アクセス方式としてＳＣ−ＦＤＭＡが使用される場合、ＳＣ−ＦＤＭＡシンボルということができる。資源ブロック（ＲＢ；ｒｅｓｏｕｒｃｅ  ｂｌｏｃｋ）は、資源割当単位であって、１つのスロットで複数の連続する副搬送波を含む。前記無線フレームの構造は、一例に過ぎないものである。したがって、無線フレームに含まれるサブフレームの個数やサブフレームに含まれるスロットの個数、またはスロットに含まれるＯＦＤＭシンボルの個数は様々に変更されることができる。
【００１８】
無線通信システムは、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに大別することができる。ＦＤＤ方式によれば、ＵＬ送信とＤＬ送信とが互いに異なる周波数帯域を占めながらなされる。ＴＤＤ方式によれば、ＵＬ送信とＤＬ送信とが同じ周波数帯域を占めながら互いに異なる時間になされる。ＴＤＤ方式のチャネル応答は、実質的に相互的（ｒｅｃｉｐｒｏｃａｌ）である。これは、与えられた周波数領域でＤＬチャネル応答とＵＬチャネル応答とがほとんど同一であるということである。したがって、ＴＤＤに基盤した無線通信システムでＤＬチャネル応答は、ＵＬチャネル応答から得られることができるという長所がある。ＴＤＤ方式は、全体周波数帯域をＵＬ送信とＤＬ送信のために時分割するので、ＢＳによるＤＬ送信とＵＥによるＵＬ送信とが同時に行われることができない。ＵＬ送信とＤＬ送信とがサブフレーム単位に区分されるＴＤＤシステムにおいて、ＵＬ送信とＤＬ送信とは互いに異なるサブフレームで行われる。
【００１９】
表１は、ＴＤＤ  ＵＬ−ＤＬ構成の例を図示する。
【００２０】
【表１】
0006701091.tif 000002
【００２１】
表１において、無線フレームでそれぞれのサブフレームに対し、「Ｄ」は、サブフレームがＤＬ送信のために予約されることを表示し、「Ｕ」は、サブフレームがＵＬ送信のために予約されることを表示し、そして、「Ｓ」は、ＤｗＰＴＳ（ｄｏｗｎｌｉｎｋ  ｐｉｌｏｔ  ｔｉｍｅ  ｓｌｏｔ）、ＧＰ（ｇｕａｒｄ  ｐｅｒｉｏｄ）、及びＵｐＰＴＳ（ｕｐｌｉｎｋ  ｐｉｌｏｔ  ｔｉｍｅ  ｓｌｏｔ）の３個のフィールドを有する特殊サブフレームを表示する。５ｍｓと１０ｍｓ  ＤＬｔｏＵＬ切換時点周期（ｓｗｉｔｃｈ−ｐｏｉｎｔ  ｐｅｒｉｏｄｉｃｉｔｙ）のＵＬ−ＤＬ構成がサポートされる。５ｍｓ  ＤＬｔｏＵＬ切換時点周期の場合には、特殊サブフレームは、両方の半フレーム（ｂｏｔｈ  ｈａｌｆ−ｆｒａｍｅ）に存在する。１０ｍｓ  ＤＬｔｏＵＬ切換時点周期の場合には、特殊サブフレームが最初の半フレームのみに存在する。サブフレーム０及び５及びＤｗＰＴＳは、常に下りリンク送信のために予約される。ＵｐＰＴＳ及び特殊サブフレームにすぐ後続するサブフレームは、常に上りリンク送信のために予約される。
【００２２】
図３は、１つのＤＬスロットに対する資源グリッド（ｒｅｓｏｕｒｃｅ  ｇｒｉｄ）を示す。図３に示すように、ＤＬスロットは、時間領域で複数のＯＦＤＭシンボルを含む。ここで、１つのＤＬスロットは、７ＯＦＤＭシンボルを含み、１つのＲＢは、周波数領域で１２副搬送波を含むことを例示的に記述するが、これに制限されるものではない。資源グリッド上の各要素を資源要素（ｒｅｓｏｕｒｃｅ  ｅｌｅｍｅｎｔ）という。１つのＲＢは、７×１２資源要素を含む。ＤＬスロットに含まれる資源ブロックの数ＮDLは、ＤＬ送信帯域幅に従属する。ＵＬスロットの構造もＤＬスロットの構造と同様でありうる。ＯＦＤＭシンボルの数と副搬送波の数とは、ＣＰの長さ、周波数間隔などによって様々に変更されることができる。例えば、ノーマルＣＰの場合、ＯＦＤＭシンボルの数は７であり、拡張ＣＰの場合、ＯＦＤＭシンボルの数は６である。１つのＯＦＤＭシンボルで副搬送波の数は１２８、２５６、５１２、１０２４、１５３６、及び２０４８のうちの１つを選定して使用することができる。
【００２３】
図４は、ＤＬサブフレームの構造を示す。図４に示すように、サブフレーム内の１番目のスロットの先行した最大３ＯＦＤＭシンボルは、制御チャネルが割り当てられる制御領域である。残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域に対応する。３ＧＰＰ  ＬＴＥで使用されるＤＬ制御チャネルの例は、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）、ＰＨＩＣＨ（ｐｈｙｓｉｃａｌ  ＨＡＲＱ  ｉｎｄｉｃａｔｏｒ  ｃｈａｎｎｅｌ）などを含む。ＰＣＦＩＣＨは、サブフレームの１番目のＯＦＤＭシンボルで送信され、サブフレーム内で制御チャネルの送信に使用されるＯＦＤＭシンボルの個数と関連した情報を運ぶ。ＰＨＩＣＨは、ＵＬ送信に対する応答であり、ＨＡＲＱ（ｈｙｂｒｉｄ  ａｕｔｏｍａｔｉｃ  ｒｅｐｅａｔ  ｒｅｑｕｅｓｔ）  ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）信号を運ぶ。ＰＤＣＣＨを介して送信される制御情報は、ＤＣＩ（ｄｏｗｎｌｉｎｋ  ｃｏｎｔｒｏｌ  ｉｎｆｏｒｍａｔｉｏｎ）である。ＤＣＩは、ＵＬまたはＤＬスケジューリング情報、若しくは任意のＵＥグループのためのＵＬ送信電力制御（ＴＰＣ；ｔｒａｎｓｍｉｔ  ｐｏｗｅｒ  ｃｏｎｔｒｏｌ）命令を含む。
【００２４】
ＰＤＣＣＨは、ＤＬ−ＳＣＨ（ｄｏｗｎｌｉｎｋ−ｓｈａｒｅｄ  ｃｈａｎｎｅｌ）の資源割当及び送信フォーマット、ＵＬ−ＳＣＨ（ｕｐｌｉｎｋ  ｓｈａｒｅｄ  ｃｈａｎｎｅｌ）の資源割当情報、ページングチャネル上のページング情報、ＤＬ−ＳＣＨ上のシステム情報、ＰＤＳＣＨ上に送信されるランダムアクセス応答のような上位層制御メッセージの資源割当、任意のＵＥグループ内の個別ＵＥに対するＴＰＣ命令の集合及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で送信され得る。ＵＥは、複数のＰＤＣＣＨをモニタリングできる。ＰＤＣＣＨは、１つまたはいくつかの連続的なＣＣＥ（ｃｏｎｔｒｏｌ  ｃｈａｎｎｅｌ  ｅｌｅｍｅｎｔｓ）のアグリゲーション（ａｇｇｒｅｇａｔｉｏｎ）上に送信される。ＣＣＥは、無線チャネルの状態による符号化率を有するＰＤＣＣＨを提供するために使用される論理的割当単位である。ＣＣＥは、複数のＲＥＧ（ｒｅｓｏｕｒｃｅ  ｅｌｅｍｅｎｔ  ｇｒｏｕｐ）に対応する。
【００２５】
ＣＣＥの数とＣＣＥにより提供される符号化率の相互関係によってＰＤＣＣＨのフォーマット及び可能なＰＤＣＣＨのビット数が決定される。ＢＳは、ＵＥに送信しようとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付する。ＣＲＣは、ＰＤＣＣＨの所有者（ｏｗｎｅｒ）や用途に応じて固有の識別子（ＲＮＴＩ；ｒａｄｉｏ  ｎｅｔｗｏｒｋ  ｔｅｍｐｏｒａｒｙ  ｉｄｅｎｔｉｆｉｅｒ、として参照される）とともにスクランブルされる（ｓｃｒａｍｂｌｅｄ）。特定ＵＥのためのＰＤＣＣＨであれば、ＵＥの固有識別子、例えば、Ｃ−ＲＮＴＩ（ｃｅｌｌ−ＲＮＴＩ）がＣＲＣにスクランブルされ得る。または、ページングメッセージのためのＰＤＣＣＨであれば、ページング指示識別子、例えば、Ｐ−ＲＮＴＩ（ｐａｇｉｎｇ−ＲＮＴＩ）がＣＲＣにスクランブルされ得る。システム情報のためのＰＤＣＣＨであれば、ＳＩ−ＲＮＴＩ（ｓｙｓｔｅｍ  ｉｎｆｏｒｍａｔｉｏｎ−ＲＮＴＩ）がＣＲＣにスクランブルされ得る。ＵＥのランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにスクランブルされ得る。
【００２６】
図５は、ＵＬサブフレームの構造を示す。図５に示すように、ＵＬサブフレームは、周波数領域で制御領域とデータ領域とに分けられることができる。制御領域は、ＵＬ制御情報が送信されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。データ領域は、ユーザデータが送信されるためのＰＵＳＣＨ（ｐｈｙｓｉｃａｌ  ｕｐｌｉｎｋ  ｓｈａｒｅｄ  ｃｈａｎｎｅｌ）が割り当てられる。上位層で指示される場合、ＵＥは、ＰＵＳＣＨとＰＵＣＣＨの同時送信をサポートできる。１つのＵＥに対するＰＵＣＣＨは、サブフレームで資源ブロックペア（ＲＢ  ｐａｉｒ）に割り当てられる。ＲＢペアに属する資源ブロックは、第１のスロットと第２のスロットの各々で互いに異なる副搬送波を占める。これをＰＵＣＣＨに割り当てられるＲＢペアがスロット境界で周波数がホッピングされた（ｆｒｅｑｕｅｎｃｙ−ｈｏｐｐｅｄ）という。ＵＥは、時間によってＵＬ制御情報を互いに異なる副搬送波を介して送信することにより、周波数ダイバーシティ利得を得ることができる。
【００２７】
ＰＵＣＣＨ上に送信されるＵＬ制御情報は、ＨＡＲＱ  ＡＣＫ／ＮＡＣＫ、ＤＬチャネル状態を表すＣＱＩ（ｃｈａｎｎｅｌ  ｑｕａｌｉｔｙ  ｉｎｄｉｃａｔｏｒ）、ＳＲ（ｓｃｈｅｄｕｌｉｎｇ  ｒｅｑｕｅｓｔ）などを含むことができる。ＰＵＳＣＨは、送信チャネルであるＵＬ−ＳＣＨにマッピングされる。ＰＵＳＣＨ上に送信されるＵＬデータは、ＴＴＩの間に送信されるＵＬ−ＳＣＨのためのデータブロックである送信ブロックでありうる。送信ブロックは、ユーザ情報でありうる。または、ＵＬデータは、多重化された（ｍｕｌｔｉｐｌｅｘｅｄ）データでありうる。多重化されたデータは、ＵＬ−ＳＣＨのための送信ブロックと制御情報とを多重化して得られたデータでありうる。例えば、データに多重化される制御情報は、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などを含むことができる。または、ＵＬデータは、制御情報のみで構成されることもできる。
【００２８】
キャリアアグリゲーション（ＣＡ；ｃａｒｒｉｅｒ  ａｇｇｒｅｇａｔｉｏｎ）が説明される。これと関連して３ＧＰＰ  ＴＳ  ３６．３００  Ｖ１２．１．０（２０１４−０３）の５．５節及び７．５節が参照され得る。ＣＡに対して単一タイミングアドバンス（ＴＡ；ｔｉｍｉｎｇ  ａｄｖａｎｃｅ、時間同期）能力を有するＵＥは、同じＴＡを共有する複数のサービングセル（１つのタイミングアドバンスグループ（ＴＡＧ；ｔｉｍｉｎｇ  ａｄｖａｎｃｅ  ｇｒｏｕｐ）にグループ化された複数のサービングセル）に対応する複数のＣＣを介して同時に受信及び／又は送信する。ＣＡに対して複数のＴＡ能力を有するＵＥは、互いに異なるＴＡを有する複数のサービングセル（複数のＴＡＧにグループ化される複数のサービングセル）に対応する複数のＣＣを介して同時に受信及び／又は送信する。Ｅ−ＵＴＲＡＮは、それぞれのＴＡＧが少なくとも１つのサービングセルを含むことを保証する。非ＣＡ能力（ｎｏｎ−ＣＡ  ｃａｐａｂｌｅ）ＵＥは、単に１つのサービングセル（１つのＴＡＧ内の１つのサービングセル）に対応する単一ＣＣを介して送信することができ、単一ＣＣを介して受信することができる。ＣＡは、連続的なＣＣ及び不連続的なＣＣを共にサポートし、各ＣＣは、周波数領域で最大１１０個の資源ブロックに限定される。
【００２９】
ＵＥが同じｅＮＢから送信される互いに異なる個数のＣＣを集め、ＵＬとＤＬとで互いに異なる帯域幅を構成することが可能である。構成され得るＤＬ  ＣＣの個数は、ＵＥのＤＬアグリゲーション能力に依存する。構成され得るＵＬ  ＣＣの個数は、ＵＥのＵＬアグリゲーション能力に依存する。ＤＬ  ＣＣよりさらに多いＵＬ  ＣＣでＵＥを構成することは可能でない。典型的なＴＤＤ（ｔｉｍｅ  ｄｉｖｉｓｉｏｎ  ｄｕｐｌｅｘ）配置において、ＵＬ及びＤＬでのＣＣの個数とそれぞれのＣＣの帯域幅とは同一である。構成され得るＴＡＧの個数は、ＵＥのＴＡＧ能力に依存する。同じｅＮＢから送信されるＣＣは、同じカバレッジを提供する必要があるものではない。
【００３０】
ＣＡが構成される場合、ＵＥは、ネットワークと１つのＲＲＣ接続のみを有する。ＲＲＣ接続設定／再設定／ハンドオーバーにおいて、１つのサービングセルは、ＮＡＳ移動性情報（例えば、ＴＡＩ（ｔｒａｃｋｉｎｇ  ａｒｅａ  ｉｄｅｎｔｉｔｙ））を提供し、ＲＲＣ接続再設定／ハンドオーバーにおいて、１つのサービングセルは、セキュリティ入力を提供する。このようなセルは、ＰＣｅｌｌ（ｐｒｉｍａｒｙ  ｃｅｌｌ）と呼ばれる。ＤＬにおいて、ＰＣｅｌｌに対応する搬送波は、ＤＬ  ＰＣＣ（ＤＬ  ｐｒｉｍａｒｙ  ＣＣ）であり、それに対し、ＵＬにおいて、このような搬送波は、ＵＬ  ＰＣＣ（ＵＬ  ｐｒｉｍａｒｙ  ＣＣ）である。
【００３１】
ＵＥ能力に依存して、ＳＣｅｌｌｓ（ｓｅｃｏｎｄａｒｙ  ｃｅｌｌｓ）は、ＰＣｅｌｌと共にサービングセルの集合を形成するように構成されることができる。ＤＬにおいて、ＳＣｅｌｌに対応する搬送波は、ＤＬ  ＳＣＣ（ＤＬ  ｓｅｃｏｎｄａｒｙ  ｃｅｌｌ）であり、それに対し、ＵＬにおいて、このような搬送波は、ＵＬ  ＳＣＣ（ＵＬ  ｓｅｃｏｎｄａｒｙ  ｃｅｌｌ）である。
【００３２】
したがって、ＵＥに対して構成されたサービングセルの集合は、常に１つのＰＣｅｌｌと１つ以上のＳＣｅｌｌを含む。それぞれのＳＣｅｌｌに対し、ＤＬ資源に付加してＵＥによるＵＬ資源の利用が構成される（したがって、構成されたＤＬ  ＳＣＣの個数は、ＵＬ  ＳＣＣの個数より常に大きいか、または同一であり、ＳＣｅｌｌは、ＵＬ資源のみで構成されることができない）。ＵＥ観点で、それぞれのＵＬ資源は、ただ１つのサービングセルに属する。構成され得るサービングセルの個数は、ＵＥのアグリゲーション能力に依存する。ＰＣｅｌｌは、ハンドオーバー手順（すなわち、セキュリティキー変更とＲＡＣＨ手順）によってのみ変更されることができる。ＰＵＣＣＨの送信のために、ＰＣｅｌｌが使用される。ＳＣｅｌｌと異なり、ＰＣｅｌｌは非活性化されることができない。ＰＣｅｌｌが無線リンク失敗（ＲＬＦ；ｒａｄｉｏ  ｌｉｎｋ  ｆａｉｌｕｒｅ）を経験し、ＳＣｅｌｌは、ＲＬＦを経験しない場合に、再設定がトリガされる。ＰＣｅｌｌからＮＡＳ情報が得られる。
【００３３】
ＳＣｅｌｌの構成、付加、及び除去は、ＲＲＣにより行われることができる。イントラＬＴＥハンドオーバーにおいて、ＲＲＣは、ターゲットＰＣｅｌｌの利用のためにＳＣｅｌｌを付加、除去、または再構成できる。新しいＳＣｅｌｌを付加する場合に、すなわち、接続されたモードにある間、ＳＣｅｌｌの全ての要求されるシステム情報を送信するための専用ＲＲＣシグナリングが使用され、ＵＥは、ＳＣｅｌｌから直接放送情報を取得する必要はない。
【００３４】
二重接続（ｄｕａｌ  ｃｏｎｎｅｃｔｉｖｉｔｙ）が開示される。二重接続は、与えられたＵＥがＲＲＣ＿ＣＯＮＮＥＣＴＥＤにある間に、非理想的バックホールで接続される少なくとも２つの異なるネットワーク地点（ＭｅＮＢ（ｍａｓｔｅｒ  ｅＮＢ）とＳｅＮＢ（ｓｅｃｏｎｄａｒｙ  ｅＮＢ））により提供される無線資源を消費する動作である。すなわち、ＵＥは、二重接続により２つの種類のサービスを受信する。サービスのうちの１つは、ＭｅＮＢから直接受信される。ＭｅＮＢは、少なくともＳ１−ＭＭＥで終了する（ｔｅｒｍｉｎａｔｅｓ）ｅＮＢであるから、二重接続でコアネットワーク（ＣＮ）に向かった移動性アンカーとして動作する。他のサービスは、ＳｅＮＢから受信される。ＳｅＮＢは、ＵＥに対して付加的な無線資源を提供する、ＭｅＮＢでないｅＮＢである。また、ｅＮＢの負荷状態またはＵＥの要求事項によってサービスはＭｅＮＢ及びＳｅＮＢ間で移動されることができる。
【００３５】
二重接続に対し、ＵＥは、２つのセルグループ（ＣＧ；ｃｅｌｌ  ｇｒｏｕｐ）で構成されることができる。ＣＧは、単に同じｅＮＢに関連したセルのみを含むことができ、このようなセルは、キャリアアグリゲーションと類似してｅＮＢ水準で同期化される。ＭＣＧ（ｍａｓｔｅｒ  ｃｅｌｌ  ｇｒｏｕｐ）は、ＭｅＮＢと関連したサービングセルのグループを呼び、ＰＣｅｌｌと選択的に１つ以上のＳＣｅｌｌを含む。ＳＣＧ（ｓｅｃｏｎｄａｒｙ  ｃｅｌｌ  ｇｒｏｕｐ）は、ＳｅＮＢと関連したサービングセルのグループを指し、ＰＳＣｅｌｌ（ｐｒｉｍａｒｙ  ＳＣｅｌｌ）と選択的に１つ以上のＳＣｅｌｌを含む。また、２つの動作、すなわち、同期ＤＣ及び非同期ＤＣが定義される。同期ＤＣ動作においてＵＥは、ＣＧ間で少なくとも３３μｓまでの最大受信タイミング差に対処できる。非同期ＤＣ動作においてＵＥは、ＣＧ間で５００μｓまでの最大受信タイミング差に対処できる。
【００３６】
ＵＥ測定能力が説明される。これと関連して３ＧＰＰ  ＴＳ  ３６．１３３  Ｖ１１．３．０（２０１４−０３）の８．１．２．１節が参照され得る。ＵＥがインター周波数及び／又はインターＲＡＴ（ｒａｄｉｏ  ａｃｃｅｓｓ  ｔｅｃｈｎｏｌｏｇｙ）セルを識別し、測定するために、測定ギャップ（ｍｅａｓｕｒｅｍｅｎｔ  ｇａｐ）を必要とすれば、Ｅ−ＵＴＲＡＮは、全ての周波数階層とＲＡＴの同時のモニタリングのために、一定のギャップ期間（ｇａｐ  ｄｕｒａｔｉｏｎ）を有する単一測定ギャップを提供しなければならない。測定ギャップの間に、ＵＥは、任意のデータを送信してはいけないし、自分の受信機をＰＣｅｌｌとＳＣｅｌｌの任意のＥ−ＵＴＲＡＮ搬送波周波数上にチューニングするように期待されない。測定ギャップの直後に表れるＵＬサブフレームで、Ｅ−ＵＴＲＡＮ  ＦＤＤ  ＵＥは、どんなデータも送信できず、測定ギャップの直前に表れるサブフレームがＤＬサブフレームである場合には、Ｅ−ＵＴＲＡＮ  ＴＤＤ  ＵＥは、どんなデータも送信できない。
【００３７】
ＵＥが測定ギャップ無しでこのような測定を行うことができるということをシグナリングしない限り、インター周波数とインターＲＡＴ特定要求事項は、１つの測定ギャップパターンで構成されるＵＥに依存する。ＵＥは、自分の測定能力と関連した下記の表２に羅列されたこのような測定ギャップパターンのみをサポートしなければならない。
【００３８】
【表２】
0006701091.tif 000003
【００３９】
インター周波数参照信号時間差（ＲＳＴ；ｒｅｆｅｒｅｎｃｅ  ｓｉｇｎａｌ  ｔｉｍｅ  ｄｉｆｆｅｒｅｎｃｅ）が構成され、ＵＥがこのような測定を行うために測定ギャップを要求する場合、単にギャップパターン０のみが使用され得る。インター周波数及びインターＲＡＴ要求事項を定義するために、Ｔinter1＝３０ｍｓが仮定されなければならない。測定ギャップは、測定ギャップの直前に表れる最新の（ｌａｔｅｓｔ）サブフレームの終端で始める。
【００４０】
ギャップ無しでインター周波数及び／又はインターＲＡＴセルを識別し、測定できるＵＥは、ギャップパターンＩｄ＃０が使用されたような要求事項にしたがうべきであり、対応する要求事項のために、６０ｍｓの最小利用可能時間Ｔinter1が仮定されなければならない。ＳＣＣで構成される場合に、Ｅ−ＵＴＲＡキャリアアグリゲーションをサポートするＵＥは、ＰＣＣを介してセルに対する測定を行っており、非活性化されたＳＣｅｌｌを有するＳＣＣを介してセルに対して行われた測定に起因してＰＣｅｌｌを介してのインター周波数測定、またはインターＲＡＴ測定、及び中断（ｉｎｔｅｒｒｕｐｔｉｏｎ）が表れるならば、ＵＥは、それぞれの測定に対して特定された要求事項を満たさなければならない。
【００４１】
ＵＥが測定ギャップを必要とする場合、ＵＥは、帯域毎に、そして／または帯域の組み合わせ（ｂａｎｄ−ｃｏｍｂｉｎａｔｉｏｎ）毎にｉｎｔｅｒＦｒｅｑＮｅｅｄＦｏｒＧａｐｓまたはｉｎｔｅｒＲＡＴ−ＮｅｅｄＦｏｒＧａｐｓで自分のＵＥ能力を報告できる。前述されたように、測定ギャップに関する現在動作は、全てのサービングセルが測定ギャップの間にサービス中断を行わなければならないということである。言い替えれば、ＵＥは、測定を含む測定ギャップの間に任意のデータを受信するか、または送信するように期待されないということである。ＵＥ測定観点で、測定ギャップの間に、ＵＥは、自分の無線周波数（ＲＦ；ｒａｄｉｏ  ｆｒｅｑｕｅｎｃｙ）を任意のサービング搬送波周波数でチューニングするように期待されない。
【００４２】
ＣＡ、複数のＴＡＧ、ｅＩＭＴＡ（ｅｎｈａｎｃｅｄ  ｉｎｔｅｒｆｅｒｅｎｃｅ  ｍｉｔｉｇａｔｉｏｎ  ａｎｄ  ｔｒａｆｆｉｃ  ａｄａｐｔａｔｉｏｎ）、互いに異なるＴＤＤ、二重接続などのような、互いに異なる状況が測定ギャップを適用し、取り扱うために考慮される必要がある。より詳細には、全てのサービングセルでのサービス中断に対する現在の定義に基づいて、前述された様々なシナリオを反映するために、ＵＬ送信または切換遅延を扱う方法だけでなく、測定ギャップの開始／終了を決定する方法に対する一部説明が定義される必要がある。
【００４３】
以下、本発明の実施形態によって様々な状況に対して測定ギャップを構成するための様々な方法が説明される。
【００４４】
１．互いに異なるＴＤＤの場合
【００４５】
図６は、ＰＣｅｌｌとＳＣｅｌｌとの間で互いに異なるＴＤＤ  ＵＬ−ＤＬ構成の例を図示する。図６に示すように、ＰＣｅｌｌは、ＵＬ−ＤＬ構成０で構成され、ＳＣｅｌｌは、ＵＬ−ＤＬ構成５で構成される。表２で定義されたように、測定ギャップは、６ｍｓに定義される。ＰＣｅｌｌの測定ギャップの直前にＵＬサブフレームが位置し、ＳＣｅｌｌの測定ギャップの直前にＤＬサブフレームが位置する。また、ＰＣｅｌｌの測定ギャップの直後にＵＬサブフレームが位置し、ＳＣｅｌｌの測定ギャップの直後にＤＬサブフレームが位置する。
【００４６】
ＰＣｅｌｌとＳＣｅｌｌとが互いに異なるＴＤＤ  ＵＬ−ＤＬ構成を有する場合に、測定ギャップ以後のＵＬサブフレームまたは測定ギャップ以後のＤＬサブフレームは、６ｍｓの測定ギャップによるＴＡ調整とＤＬ−＞ＵＬ切換を行うための一部処理を必要とする。測定ギャップが発生する正確なタイミングによって、ＵＬまたはＤＬを処理するか否かは互いに異なることができる。例えば、測定ギャップは、任意のサービングセルでＤＬ受信時間に合わせて（ａｌｉｇｎｅｄ  ｗｉｔｈ）始まると仮定する。言い替えれば、任意のサービングセルが測定ギャップの直前にＤＬサブフレームを有するならば、測定ギャップは、ＤＬ受信を完了した後に発生することができる。上記の図６に示されたように、ＴＡのための十分な時間が予約されない場合がありうる。
【００４７】
図７は、本発明の実施形態に係る測定ギャップの例を図示する。図７に示すように、測定ギャップは、ＰＣｅｌｌのタイミングによって始まる。言い替えれば、測定ギャップは、測定ギャップの直前に表れるＰＣｅｌｌの最新のサブフレームの終端で始める。測定ギャップがＰＣｅｌｌタイミングに基づいて始めることを考慮すれば、測定ギャップの直前に表れるサブフレームがＰＣｅｌｌでのＤＬサブフレームであれば、ＵＴＲＡＮ  ＴＤＤ  ＵＥは、任意のサービングセルで任意のデータを送信しないことができる。このような場合に、（３２．４６μｓ差までの）複数のＴＡＧの処理がＵＥの実装により扱われ得る。また、測定ギャップの直前に表れるサブフレームがＰＣｅｌｌでのＵＬサブフレームであるか、Ｅ−ＵＴＲＡＮ  ＴＤＤ  ＵＥが測定ギャップとＤＬサブフレームとの間の重なった部分で一部ＯＦＤＭシンボルを受信できなければ、Ｅ−ＵＴＲＡＮ  ＴＤＤ  ＵＥは、任意のサービングセルで任意のデータを受信できない。また、ＵＥは、ＣＡでＰＣｅｌｌと任意の他のＰＣｅｌｌとの間の時間差の実装により扱われるか、またはこのような時間差を無視できる。
【００４８】
図８は、本発明の実施形態に係る測定ギャップの他の例を図示する。図８に示すように、測定ギャップは、ＤＬサブフレームを有する任意のセルにしたがって始める。言い替えれば、測定ギャップの直前に表れるセルの最新のサブフレームの終端で測定ギャップが始まる。より詳細には、ＰＣｅｌｌの最新のサブフレームがＤＬサブフレームであるか、またはＰＣｅｌｌがＦＤＤである場合、前記セルはＰＣｅｌｌでありうる。または、ＰＣｅｌｌの最新のサブフレームがＵＬサブフレームであるか、またはＰＣｅｌｌがＴＤＤであり、ＳＣｅｌｌの最新のサブフレームがＤＬサブフレームであるか、またはＳＣｅｌｌがＦＤＤである場合、前記セルはＳＣｅｌｌでありうる。言い替えれば、前記セルは、測定ギャップの直前にＤＬサブフレームを有するセルでありうる。または、全てのサービングセルがＴＤＤであり、最新のサブフレームに対してサービングセル間にＤＬサブフレームがなければ、前記セルはＰＣｅｌｌである。これは、測定ギャップの直前に表れる任意のサービングセルの最新のサブフレームの終端で測定ギャップが始まることにより単純化されることができる。
【００４９】
測定ギャップの直前に表れるサブフレームが任意のサービングセルのＤＬサブフレームである場合、Ｅ−ＵＴＲＡＮ  ＴＤＤ  ＵＥは、任意のサービングセルで任意のデータを送信しないことができる。ＤＬサブフレームを決定することに対し、ｅＩＭＴＡが適用される場合に、前記決定は、実際のＤＬまたはＵＬにしたがうことができる。言い替えれば、サブフレームが測定ギャップの直前に表れるか否かは、再構成メッセージ及びスケジューリングによりＤＬまたはＵＬで構成されることができる。フォールバック（ｆａｌｌｂａｃｋ）モードで、システム情報ブロック（ＳＩＢ：ｓｙｓｔｅｍ  ｉｎｆｏｒｍａｔｉｏｎ  ｂｌｏｃｋ）と関連付けられた（ｌｉｎｋｅｄ、結合された）ＤＬ／ＵＬ構成が使用され得る。
【００５０】
２．ＦＤＤ／ＴＤＤ  ＣＡの場合
【００５１】
３ＧＰＰ  ｒｅｌ−１２において、例えば、ＰＣｅｌｌは、ＦＤＤにより構成され、ＳＣｅｌｌは、ＴＤＤにより構成されるＦＤＤ−ＴＤＤ  ＣＡがサポートされ得る。ＦＤＤ−ＴＤＤ  ＣＡを考慮すれば、測定ギャップの構成が明確になる必要がある。この場合に、複数のオプションが次のように考慮され得る。
【００５２】
（１）ＦＤＤの場合にしたがう：すなわち、Ｅ−ＵＴＲＡＮ  ＵＥは、測定ギャップの直後に表れる任意のサービングセル内のＵＬサブフレームで任意のデータを送信しないことができる。これは、全てのサービングセルＵＬ送信に適用可能でありうる。この場合に、測定ギャップの開始時点は、図８で前述された本発明の実施形態によって決定されることができ、すなわち、測定ギャップは、測定ギャップの直前に表れる任意のサービングセルの最新のサブフレームの終端で始める。
【００５３】
（２）それぞれの搬送波二重化モードにしたがう：すなわち、Ｅ−ＵＴＲＡＮ  ＵＥは、ＦＤＤサービングセルに対して測定ギャップの直後に表れるＵＬサブフレームで任意のデータを送信しないことができる。測定ギャップの直前に表れるサブフレームが任意のＴＤＤサービングセル内のＤＬサブフレームである場合、Ｅ−ＵＴＲＡＮ  ＵＥは、測定ギャップの直前に表れるＵＬサブフレームで任意のデータを送信しないことができる。これは、測定ギャップの開始時点が任意のサービングセルに基づいて決定される場合に考慮されることができる。
【００５４】
（３）ＰＣｅｌｌにしたがう：測定ギャップが本発明の実施形態によって図７で前述されたようにＰＣｅｌｌタイミングに基づいて始まると見なせば、測定ギャップの直前に表れるサブフレームがＰＣｅｌｌ内のＤＬサブフレームであれば、Ｅ−ＵＴＲＡＮ  ＵＥは、任意のサービングセル内で任意のデータを送信しないことができる。測定ギャップの直前に表れるサブフレームがＰＣｅｌｌ内のＤＬサブフレームであれば、Ｅ−ＵＴＲＡＮ  ＴＤＤ及び／又はＦＤＤ  ＵＥは、任意のデータを送信しないことができる。また、測定ギャップの直前に表れるサブフレームがＰＣｅｌｌ内のＵＬサブフレームであるか、またはＥ−ＵＴＲＡＮ  ＴＤＤ  ＵＥが測定ギャップとＤＬサブフレームとの間に重なった部分内に一部ＯＦＤＭシンボルを受信しないことができれば、Ｅ−ＵＴＲＡＮ  ＴＤＤ  ＵＥは、任意のサービングセル内で任意のデータを受信しないことができる。この場合に、ＳＣｅｌｌに対し、測定ギャップは、６ｍｓよりは実際に７ｍｓまで至ることができる。したがって、ＤＬサブフレームがＰＣｅｌｌタイミングにしたがうよりは、却って全てのサービングセル内でＤＬサブフレームが終了した後にすぐ測定ギャップが後続されるか、または測定ギャップを始めることがより自然である。
【００５５】
ＤＬサブフレームを決定することに対し、ｅＩＭＴＡが構成される場合、前記決定は、実際ＤＬまたはＵＬにしたがうことができる。言い替えれば、測定ギャップ以後にすぐ表れるサブフレームは、再構成メッセージ及びスケジューリングによりＤＬまたはＵＬとして使用されることができる。フォールバックモードで、ＳＩＢと関連付けられた構成が使用され得る。
【００５６】
３．二重接続の場合
【００５７】
図９は、非同期二重接続の例を図示する。図９に示すように、ＭＣＧ及びＳＣＧは、同期されていない状態である。測定ギャップは、表２で前述されたように、６ｍｓで構成される。ＭＣＧで測定ギャップの直前にＵＬサブフレームが位置し、ＳＣＧで測定ギャップの直前にＤＬサブフレームが位置する。フレーム境界のずれ（ｍｉｓａｌｉｇｎｍｅｎｔ）に起因し、測定ギャップが基づいているタイミング基準が決定される必要がある。
【００５８】
ＭＣＧがＳＣＧにＵＥで構成される測定ギャップを通知することが仮定される。調整された（ａｌｉｇｎｅｄ、整列された）サービス中断が達成され得るように、ＭＣＧとＳＣＧとが互いのタイミング誤差を知っているとさらに仮定される。本発明の実施形態によれば、測定ギャップを構成するためのタイミング基準としてＰＣｅｌｌタイミングが使用される。ＰＣｅｌｌタイミングによって測定ギャップと重なるＳＣＧのサブフレームで、ＳＣＧのサブフレームが測定ギャップと完全に（ｅｎｔｉｒｅｌｙ）重なったら、ＵＥは、ＳＣＧが任意のデータをスケジューリングしないことと期待できるか、またはＵＥは、そのサブフレームで任意のデータを送信しないことができる。ＰＣｅｌｌタイミングによって測定ギャップと重なるＳＣＧのサブフレームで、図９で前述されたように、ＳＣＧのサブフレームが測定ギャップと部分的に重なったら、タイミングオフセット移動（ｄｒｉｆｔ）だけでなく、ＭＣＧ／ＳＣＧ間に不正確なタイミングオフセットをサポートするために、ＵＥはさらにこのような部分的に重なったサブフレームで任意のデータ受信または送信を期待できない。結果的に、ＳＣＧ観点で、測定ギャップは、７ｍｓまで至ることができる。
【００５９】
より一般的に、ＭＣＧ／ＳＣＧ間の同期または非同期二重接続と関係なく、ＳＣＧは、測定ギャップがＭＣＧ／ＰＣｅｌｌの測定ギャップと重なる任意のサブフレームで構成されるということを仮定できる。または、測定ギャップは、タイミングオフセット値に依存することができる。オフセット値が０である場合、６ｍｓの測定ギャップのみがＭＣＧサブフレーム番号として整列されるだけでなく、ＳＣＧに対して使用されることができる。この場合に、（ＦＤＤ−ＴＤＤ  ＣＡのような）ＣＡの場合と同様に扱われることができる。
【００６０】
他の例は、ＵＥがＤＣ電力制御モード２で構成されるか、またはＵＥが、ネットワークが同期状態でない場合において構成される非同期二重接続で測定ギャップを適用するように構成される場合、ＵＥは、ＳＣＧに対して７ｍｓの測定ギャップを仮定できる。ＵＥが同期二重接続と非同期二重接続とをサポートし、上位層パラメータＤＣ−ＰｏｗｅｒＣｏｎｔｒｏｌＭｏｄｅが二重接続電力制御モード１を指示しなければ、ＵＥは、ＤＣ電力制御モード２を使用できる。代わりに、ＳＣＧに対して７ｍｓまたは６ｍｓの測定ギャップを使用するか否かは、ネットワークにより構成されることができる。
【００６１】
図１０は、本発明の実施形態に係る非同期二重接続に対する測定ギャップの例を図示する。図１０に示すように、ＳＣＧに対する総中断時間は、非同期二重接続に対する７個のサブフレームである。より詳細には、非同期二重接続に対するｊ＋１からｊ＋７までのＳＣＧサブフレームと共に、ｉ＋１からｉ＋６までのＭＣＧサブフレームが総中断時間に含まれる。
【００６２】
図１１は、本発明の実施形態に係る測定ギャップの構成を受信する方法の例を図示する。ステップＳ１００においてＵＥは、二重接続でＭＣＧに属するＰＣｅｌｌのタイミングに基づいて、二重接続でＳＣＧの測定ギャップの構成を受信する。ステップＳ１１０においてＵＥは、前記受信されたＳＣＧの測定ギャップの構成に基づいてインター周波数またはインターＲＡＴセルを測定する。前記ＳＣＧの測定ギャップは、７ｍｓで構成されることができる。すなわち、前記ＳＣＧの２つのサブフレームは、前記ＭＣＧの測定ギャップと部分的に重なることができる。前記ＭＣＧ及び前記ＳＣＧ間の前記二重接続は非同期でありうる。
【００６３】
図１２は、本発明の実施形態に係る測定ギャップを構成する方法の例を図示する。ステップＳ２００においてネットワークは、二重接続でＭＣＧに属するＰＣｅｌｌのタイミングに基づいて、二重接続でＳＣＧの測定ギャップを構成する。ステップＳ２１０においてネットワークは、前記構成されたＳＣＧの測定ギャップをＵＥに送信する。前記ＳＣＧの測定ギャップは、７ｍｓで構成されることができる。すなわち、前記ＳＣＧの２つのサブフレームは、前記ＭＣＧの測定ギャップと部分的に重なることができる。前記ＭＣＧと前記ＳＣＧとの間の前記二重接続は非同期でありうる。
【００６４】
以下、本発明の実施形態に係る測定ギャップ最適化が説明される。近い将来にＵＥがさらに多くの搬送波をサポートできると見なせば、測定ギャップ構成のオーバーヘッドは、構成された個数の搬送波に比例して増加されることができる。全てのサービングセルでサービスを中断することが必要でなければ、可能な限度で最小個数のサービングセルを中断することを考慮するような価値がある。ＵＥ性能に依存して、全てのサービングセルでのサービス中断が必要でないことができる。また、ＵＥが二重接続で構成される場合、これは、ＳｅＮＢに対する重大なオーバーヘッドを付加でき、これは、スケジューリング制約を付加する特定調整（ｃｏｏｒｄｉｎａｔｉｏｎ）を要求できる。したがって、サービングセル毎に独立的な測定ギャップとサービス中断を構成する方法が要求され得る。
【００６５】
（１）「中断必要搬送波」に対するＵＥシグナリング
【００６６】
ＵＥが測定ギャップ構成で構成される場合、ＵＥは、どのサービングセルが中断されなければならないかをネットワークに通知することができる。測定ギャップが構成される場合のみにこのような通知が報告され得るという観点で、これは、ＵＥ能力とは互いに異なることができる。例えば、ＵＥは、ＣＣ１／ＣＣ２で構成され、ＵＥが測定ギャップで構成される場合、ＵＥは、ネットワークにどんな搬送波が中断されなければならないかを通知できる。付加的に、中断の期間（ｄｕｒａｔｉｏｎ）がさらにシグナリングされ得る。ネットワークが中断要求を受信する場合、ネットワークは、中断を要求しないそれぞれのＣＣが中断されないか否かをさらに構成することができる。言い替えれば、中断される搬送波のリストがＵＥにシグナリングされ得る。または、中断必要性は、ＵＥ能力シグナリングにシグナリングされることができる。
【００６７】
（２）搬送波毎の個別的な測定
【００６８】
ＵＥ能力に依存し、ネットワークは、どんなサービングセルが中断されなければならないかを決定できる。また、互いに異なる測定ギャップパターンがサービングセル毎に構成され得る。しかし、この場合に、サービングセル間に測定ギャップパターンは重なることができる。言い替えれば、１つのサービングセルに対する測定ギャップパターンは、他のサービングセルに対する他の測定ギャップの副集合でありうる。これを達成するための一例は、６ｍｓから、例えば、１ｍｓへ測定ギャップを減少させることである。複雑度を考慮し、それぞれのパターンに対する構成可能な測定ギャップパターンの個数を次のように限定することが好ましい。例えば、ＵＥがオフセット０を有するギャップパターンＩｄ＝０で構成されるならば、ＵＥは、オフセット０を有するギャップパターンＩｄ＝３またはギャップがないように構成されることができる。言い替えれば、同じ周期とオフセットを有する単により短い測定ギャップが他のサービングセルに対して構成されることができるか、またはギャップがない構成が実現可能である。表３は、本発明の実施形態に係る測定ギャップパターンの例を図示する。
【００６９】
【表３】
0006701091.tif 000004
【００７０】
（３）短期（ｓｈｏｒｔ−ｔｅｒｍ）サービス中断の取扱
【００７１】
例えば、ＵＥに２つの独立的なＲＦ／ＲＸチェーンが備えられれば、１つの未使用のＲＦ／ＲＸチェーンが利用可能な場合、未使用のＲＸチェーンが他のＲＦ／ＲＸ動作を中断させずに、インター周波数測定のために使用されることができる。この場合に、ＵＥ能力シグナリングに基づいて、ネットワークが測定ギャップを構成しないことができる。しかし、さらには、未使用のＲＦ／ＲＸがその実装の特性に起因して他のＲＦ／ＲＸチェーンでの短期サービス中断を要求できるので、ＵＥは、測定ギャップの必要性を依然として報告できる。ＵＥが測定ギャップを構成するよりは、却って、（短いギャップが必要な場合のように）このような能力を報告する場合に、ネットワークは、ＵＥに知らせるか、またはこのような中断が達成され得るサブフレームのセットまたは周期／オフセットを構成できる。ＵＥがこのようなサブフレームを使用するか否かは、自分の測定要求事項による。例えば、測定ギャップを構成する代わりに、ネットワークは、８０ｍｓの周期と４ｍｓのオフセットを構成でき、これは、４ｍｓオフセットを有する８０ｍｓ毎に、ＰＣｅｌｌから１つのサブフレームが「ＤＬサブフレーム無し」に仮定されることができ、ここでＵＥは、１つのサブフレームの間にＰＣｅｌｌに送信またはＰＣｅｌｌを介しての受信を中断できる。サブフレームでのパケット損失またはデータ損失は、サブフレームでの任意のデータを受信しないように、ＵＥを強制（ｍａｎｄａｔｅ）するよりは、却って再送メカニズムに基づいて取り扱われることができる。ＵＥ能力及び自動ギャップ構成に依存して、ＵＥは、サービング周波数を介して聴取できるか、または聴取しないことができる。
【００７２】
（４）帯域の組み合わせによる測定ギャップの必要性
【００７３】
ＵＥが帯域組み合わせによる測定ギャップを必要とするか否かがシグナリングされ得る。ＵＥが帯域の組み合わせ（例えば、ＣＣ１、ＣＣ２、ＣＣ３）に対して測定ギャップが必要でないことを指示する場合に、ネットワークは、ＵＥが単にＣＣ１、ＣＣ２で構成される場合に、ＣＣ３は、測定ギャップ無しで測定されると仮定することができる。したがって、少なくともＣＣ３に対する測定に対し、ＵＥは、測定ギャップ無しで測定を行うことができる。ＵＥが（ＣＣ４、ＣＣ５）に対してさらに測定ギャップがないことを指示し、それに対し、ＵＥが（ＣＣ１、ＣＣ２、ＣＣ３、ＣＣ４、ＣＣ５）に対して測定ギャップが必要であることを指示するならば、ネットワークは、測定ギャップ無しでＣＣ４／ＣＣ５がさらに測定され得ることを仮定してはいけない。このような場合に、ネットワークは、測定ギャップを構成せず、単にＣＣ３周波数をモニタリングするようにＵＥを構成するか、または他の周波数に対して測定ギャップを構成できる。
【００７４】
図１３は、本発明の実施形態が実現される無線通信システムを示す。
【００７５】
ｅＮＢ（８００）は、プロセッサ（ｐｒｏｃｅｓｓｏｒ；８１０）、メモリ（ｍｅｍｏｒｙ；８２０）、及び送受信部８３０を備えることができる。プロセッサ８１０は、本明細書において説明された機能、過程、及び／又は方法を実現するように構成されることができる。無線インターフェースプロトコルの階層は、プロセッサ８１０により実現されることができる。メモリ８２０は、プロセッサ８１０と連結され、プロセッサ８１０を駆動するための様々な情報を格納する。送受信部８３０は、プロセッサ８１０と連結され、無線信号を送信及び／又は受信する。
【００７６】
ＵＥ（９００）は、プロセッサ９１０、メモリ９２０、及び送受信部９３０を備えることができる。プロセッサ９１０は、本明細書において説明された機能、過程、及び／又は方法を実現するように構成されることができる。無線インターフェースプロトコルの階層は、プロセッサ９１０により実現されることができる。メモリ９２０は、プロセッサ９１０と連結され、プロセッサ９１０を駆動するための様々な情報を格納する。送受信部９３０は、プロセッサ９１０と連結され、無線信号を送信及び／又は受信する。
【００７７】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。送受信部８３０、９３０は、無線周波数信号を処理するためのベースバンド回路を備えることができる。実施形態がソフトウェアで実現されるとき、前述した技術は、前述した機能を果たすモジュール(過程、機能など)で実現されることができる。モジュールは、メモリ８２０、９２０に格納され、プロセッサ８１０、９１０により実行されることができる。メモリ８２０、９２０は、プロセッサ８１０、９１０の内部または外部にありうるし、よく知られた様々な手段でプロセッサ８１０、９１０と連結されることができる。
【００７８】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の１つまたはそれ以上のステップが本発明の範囲に影響を及ぼさずに削除可能であることを理解することができる。
【図１】
0006701091.tif 000005
【図２】
0006701091.tif 000006
【図３】
0006701091.tif 000007
【図４】
0006701091.tif 000008
【図５】
0006701091.tif 000009
【図６】
0006701091.tif 000010
【図７】
0006701091.tif 000011
【図８】
0006701091.tif 000012
【図９】
0006701091.tif 000013
【図１０】
0006701091.tif 000014
【図１１】
0006701091.tif 000015
【図１２】
0006701091.tif 000016
【図１３】
0006701091.tif 000017